(57)【特許請求の範囲】
【請求項１】
デジタル移動体通信システムに用いられる移動局が有するデータ伝送に関する各種機能の試験を行うデジタル移動体通信試験方法において、
試験対象の一対の移動局に対して有線又は無線で分配合成器を介してそれぞれ信号を送信し受信する送信部及び受信部を設け、
この送信部及び受信部に対して、前記分配合成器を介してそれぞれ信号が送受信される前記一対の移動局相互間を通信状態に移行させるための条件と手順を入力し、
この入力された条件と手順に基づいて前記送信部及び受信部を介して前記一対の移動局における各移動局との間で信号の授受を行うことによって、前記各移動局それぞれに通信用チャネルを指定し、前記一対の移動局相互間を通信状態に移行させ、
前記一対の移動局相互間が通信状態に移行した状態において、前記それぞれ指定された通信チャネルを用いて、一方の移動局から当該移動局が有する各種機能を用いてデータを前記受信部へ送信させ、前記送信部からデータを受信した他方の移動局に対して、当該移動局が受信したデータを当該移動局が有する各種機能を用いて出力させることによって、前記各移動局が有する各種機能を評価する
ことを特徴とするデジタル移動体通信試験方法。
【請求項２】
デジタル移動体通信システムに用いられる移動局の試験を行うデジタル移動体通信試験装置において、
試験対象の一対の移動局に対して有線又は無線で分配合成器(12,13)を介してそれぞれ信号を送信し受信する送信部(2,15)及び受信部(1.14)と、
前記送信部及び前記受信部に対して、前記分配合成器を介してそれぞれ信号が送受信される前記一対の移動局(11a,11b)相互間を通信状態に移行させるための条件と手順を入力する入力装置(3,26,27,29)と、
この入力装置から入力された条件と手順を記憶する記憶手段(4,24)と、
この記憶手段に記憶された条件と手順により送信部及び受信部を介して前記一対の移動局における各移動局との間で信号の授受を行うことによって、前記各移動局それぞれに通信用チャネルを指定し、前記一対の移動局相互間を通信状態に移行させる通信確立制御手段(5,22)と、
前記一対の移動局相互間が通信状態に移行した状態において、前記それぞれ指定された通信チャネルを用いて、一方の移動局から受信部を介して受信したデータを、送信部を介して他方の移動局へ送信するデータ中継制御手段(6,22)と、
前記一対の移動局相互間が通信状態に移行する過程で前記各移動局との間で授受された信号に基づいて前記各移動局を評価する評価手段(7,22)と、
この評価手段で得られた評価結果を出力する出力装置(8,28,29)と
を備えたデジタル移動体通信試験装置。
【発明の詳細な説明】
【０００１】
【発明の属する技術分野】
本発明は、自動車電話システムや携帯電話システム等に採用されているデジタル移動体通信システムに係わり、特に、このデジタル移動体通信システムに用いられる移動局が有するデータ伝送に関する各種機能の試験を行うデジタル移動体通信試験方法、及び各移動局の試験を行うデジタル移動体通信試験装置に関する。
【０００２】
【従来の技術】
上述したデジタル移動体通信システムに用いられる携帯電話端末や自動車電話端末等の移動局を新規に開発した場合や、開発済の移動局を改良した場合は、これらの移動局の動作を試験する必要がある。この試験対象の移動局から稼働中の基地局に対して直接電波を送信して試験することはできないので、基地局を模擬した試験装置を用いる。
【０００３】
図７に示すように、試験装置３１は、基地局の機能を有し、試験対象の移動局３２に対して着信要求信号等の各種試験信号を送出して、移動局３２から正しい応答信号が出力されることを確認する。
【０００４】
しかしながら、近年、図８に示すように、移動局に対してパーソナル・コンピュータ（ＰＣ）３３ａ、ファクシミリ３３ｂ，カメラ３３ｃ等を接続可能として、これらの外部装置から取込んだデータを基地局を介して着信側の移動局へ送信可能とする移動局３２ａが開発されている。
【０００５】
通常の音声通話機能、パーソナル・コンピュータ３３ａを用いたデータ伝送機能、ファクシミリ３３ｂを用いた静止画伝送機能、カメラ３３ｃを用いた動画伝送機能等のデータ伝送に関する各種機能は、移動局と交換機を介した相手側の通信機器との間で通信回線が形成された後に実現される。
【０００６】
したがって、移動局が有するこのようなデータ伝送に関する各種機能を試験するために、試験装置３１ａは、図８に示すように、通常の基地局としての交換機能３４ａの他に、データを受信する相手側の通信機器機能３４ｂ及びデータを出力する出力機能３４ｃが必要である。
【０００７】
このデータの出力機能としては、当然、試験対象の移動局３２ａが有するデータ伝送に関する各種機能、すなわち、音声符号化器と音声復号化器と、スピーカとマイクとからなる音声入出力装置、パーソナル・コンピュータ（ＰＣ）３３ａ、ファクシミリ３３ｂ，動画を表示するモニタ装置が必要である。
また、当然、相手側の通信機器機能３４ｂと各出力機能３４ｃとの間におけるインタフェース機能も必要である、
【０００８】
【発明が解決しようとする課題】
したがって、図８に示す試験装置３１ａにおいては、次のような問題点があった。
すなわち、上述した音声通話機能、ＰＣを用いたデータ伝送機能、静止画伝送機能、動画伝送機能等の機能確認を行うためには、試験装置３１ａ内に、音声入出力装置、パーソナル・コンピュータ（ＰＣ）、ファクシミリ，動画を表示するモニタ装置を組込む必要があり、これらのハードウェアやこれらを接続するためのインタフェース等のソフトウェアにより試験装置３１ａの製造費が大幅に上昇する。
【０００９】
また、これらのハードウェアの仕様は、原則として測定対象となる移動局３２ａに接続されたハードウェアの仕様に一致させる必要がある。
すなわち、移動局３２ａの製造メーカーがデータ伝送によって実現される新たな機能又はメーカー独自の機能を開発し、その機能試験を行おうとした場合に、この機能を確認するためのハードウェアやソフトウェアを試験装置３１ａ内に新たに実装するか、又は試験装置３１ａ自体を新たに開発する必要がある。
【００１０】
したがって、試験対象の移動局３２ａ毎に、仕様の異なる各ハードウェアを組込んだ試験装置３１ａを製造する必要があり、現実問題として、このような多数種類の試験装置３１ａを製造しかつ準備しておくことは、費用や手間を考えると、ほぼ不可能である。
【００１１】
本発明はこのような事情に鑑みてなされたものであり、試験対象の移動局を２台準備することによって、装置内にデータ伝送に関する各種機能を組込む必要がなく、簡単に試験対象の移動局相互間で通信状態に至るまでの手順に関する試験、及び通信状態に移行後のデータ伝送に関する各種機能を試験できるデジタル移動体通信試験方法及びデジタル移動体通信試験装置を提供することを目的とする。
【００１２】
【課題を解決するための手段】
上記課題を解消するために、本発明は、デジタル移動体通信システムに用いられる移動局が有するデータ伝送に関する各種機能の試験を行うデジタル移動体通信試験方法において、
試験対象の一対の移動局に対して有線又は無線で分配合成器を介してそれぞれ信号を送信し受信する送信部及び受信部を設け、この送信部及び受信部に対して、分配合成器を介してそれぞれ信号が送受信される一対の移動局相互間を通信状態に移行させるための条件と手順を入力し、この入力された条件と手順に基づいて送信部及び受信部を介して一対の移動局における各移動局との間で信号の授受を行うことによって、各移動局それぞれに通信用チャネルを指定し、一対の移動局相互間を通信状態に移行させ、それぞれ指定された通信チャネルを用いて、一対の移動局相互間が通信状態に移行した状態において、一方の移動局から当該移動局が有する各種機能を用いてデータを受信部へ送信させ、送信部からデータを受信した他方の移動局に対して、当該移動局が受信したデータを当該移動局が有する各種機能を用いて出力させることによって、各移動局が有する各種機能を評価する。
【００１３】
このように構成されたデジタル移動体通信試験方法においては、データ伝送に関する例えば音声通話機能やファクシミリ機能を有する試験対象となる同一仕様の一対の移動局を、本発明の送信部及び受信部に通信可能な状態に設定し、予め入力されている条件と手順に基づいて、一対の移動局相互間を通信状態に移行させる。
【００１４】
そして、一対の移動局相互間が通信状態に移行した状態において、一対の移動局相互間でそれぞれ自己のデータ伝送に関する各種機能を用いてデータを送受信させる。
【００１５】
すなわち、操作者は一方の移動局から各種機能を用いてデータを他方の移動局へ送信すると共に、他方の移動局で該当移動局の対応する機能を用いて出力させ、この出力されたデータを確認することによって、各移動局が有するデータ伝送に関する各種機能の評価が可能である。
【００１６】
例えば、具体例で説明すると、一方の移動局で話された音声のデータが中継され、もう一方の移動局でその音声を聞くことにより移動局の音声通話機能の確認が可能である。
【００１７】
したがって、別途、受信したデータを出力するためのハードウェアやソフトウェアを準備する必要がない。
また別の本発明は、デジタル移動体通信システムに用いられる移動局の試験を行うデジタル移動体通信試験装置において、
図１に示すように、試験対象の一対の移動局に対して有線又は無線で分配合成器を介してそれぞれ信号を送信し受信する送信部２及び受信部１と、送信部及び受信部に対して、分配合成器を介してそれぞれ信号が送受信される一対の移動局相互間を通信状態に移行させるための条件と手順を入力する入力装置３と、この入力装置から入力された条件と手順を記憶する記憶手段４と、この記憶手段４に記憶された条件と手順により送信部及び受信部を介して一対の移動局における各移動局との間で信号の授受を行うことによって、各移動局それぞれに通信用チャネルを指定し、一対の移動局相互間を通信状態に移行させる通信確立制御手段５と、一対の移動局相互間が通信状態に移行した状態において、それぞれ指定された通信チャネルを用いて、一方の移動局から受信部を介して受信したデータを、送信部を介して他方の移動局へ送信するデータ中継制御手段６と、一対の移動局相互間が通信状態に移行する過程で各移動局との間で授受された信号に基づいて前記各移動局を評価する評価手段７と、この評価手段で得られた評価結果を出力する出力装置８とを備えている。
【００１８】
このように構成されたデジタル移動体通信試験装置においては、上述した発明のデジタル移動体通信試験方法と同様に、操作者が、同一仕様の一対の移動局を、本発明の送信部２及び受信部１に対して通信可能な状態に設定すると、予め入力装置３により記憶手段４に記憶されている条件と手順に基づいて、通信確立制御手段５がこの一対の移動局相互間を通信状態に移行させる。
【００１９】
移動局相互間が通信状態に移行した後においては、データ中継制御手段６によって、一方の移動局からのデータは他方の移動局へ送信される。
そして、一対の移動局相互間が通信状態に移行する過程で授受される信号の種別に基づいて移動局の評価が実施される。
【００２０】
【発明の実施の形態】
以下、本発明の一実施形態を図面を用いて説明する。
図２は実施形態のデジタル移動体通信試験方法が採用されるデジタル移動体通信試験装置の概略構成を示すブロック図である。
【００２１】
実施形態のデジタル移動体通信試験装置における試験対象の移動局は、デジタル移動体通信システムの一つであるデジタル方式ＭＣＡシステムに用いられる同一構成の一対の移動局である。そして、この試験対象の一対の移動局の一方を便宜的に発呼側移動局１１ａと指定し、他方を着呼側移動局１１ｂと指定する。
【００２２】
発呼側移動局１１ａ及び着呼側移動局１１ｂは分配合成器１２、１３を介して受信部１４及び送信部１５に接続されている。具体的には、この実施形態装置においては、試験対象の各移動局１１ａ，１１ｂと分配合成器１２とは信号線で接続されている。すなわち、各移動局１１ａ，１１ｂは各信号を基地局に対して電波出力すると共に、有線で出力する出力端子を有しているので、この出力端子と分配合成器１２とを信号線で接続している。
【００２３】
なお、分配合成器１２にアンテナを設けて、このアンテナから電波出力された信号を受信することも可能である。
分配合成器１２は各移動局１１ａ，１１ｂから受信した受信信号ａを分配合成器１３を介して受信部１４へ転送する。また、分配合成器１３は、送信部１５から出力された送信信号ｂを分配合成器１２を介して各移動局１１ａ，１１ｂへ送信する。
【００２４】
受信部１４は、高周波受信部１６と復調部１７と復調データメモリ１８とで構成されている。また、送信部１５は、送信データ生成部１９と変調部２０と高周波送信部２１とで構成されている。
【００２５】
各移動局１１ａ，１１ｂから受信された高周波の受信信号ａは分配合成器１２，１３を介して受信部１４へ入力される。受信部１４において、入力した高周波の受信信号ａは、高周波受信部１６で次の復調部１７が復調可能な中間周波数に周波数変換されＡ／Ｄ変換器によりデジタル信号に変換される。周波数変換された受信信号は、図示しないインタフェース用のメモリとデジタル信号処理プロセッサ（ＤＳＰ）及び周辺のデジタル回路で構成される復調部１７で復調処理される。復調されたメッセージやデータ等の信号は信号データメモリ１８に一旦記憶保持された後、受信部１４から出力される。
【００２６】
受信部１４から出力さたメッセージやデータ等の信号は、図示しないＣＰＵ，ＣＰＵのプログラムが格納されたＲＯＭ，ＣＰＵの演算用メモリ及びその他の制御用周辺回路から構成されるマイクロ・コンピュータからなる制御部２２へ入力される。
【００２７】
送信部１５における送信データ生成部１９は、メモリとデジタル回路により構成され、制御部２２の制御に基づいて、各移動局１１ａ，１１ｂを通信状態に移行させるために必要なメッセージや通信状態における各種データを生成する。送信データ生成部１９で生成された各種データは、デジタル信号処理プロセッサＤＳＰとその周辺のデジタル回路及びＤ／Ａ変換器で構成される変調部２０へ送信される。変調部２０は入力した各種データを所定の変調方式に従って変調処理を実行する。高周波送信部２１は、変調部２０から出力された変調信号を高周波の送信信号ｂとして、分配合成器１３，１２を介して各移動局１１ａ，１１ｂへ送信する。
【００２８】
前記マイクロ・コンピュータからなる制御部２２には、前記受信部１２及び送信部１５の他に、入出力インタフェース２３、ＲＡＭ２４、データメモリ２５が接続されている。
【００２９】
入出力インタフェース２３には、操作者が各種操作指令や各種設定データを入力するためのパネルキー２６、ＦＤ（フロッピーディスク）等の外部記憶装置２７、評価結果や収集した各移動局１１ａ，１１ｂ相互間が通信状態に移行する過程で各移動局１１ａ，１１ｂとの間で授受された信号を表示するディスプレイ２８、及び必要に応じて、パーソナル・コンピュータ等の外部制御装置２９が接続される。
【００３０】
そして、パネルキー２６，外部記憶装置２７及び外部制御装置２９は、送信部１５から送信信号ｂが送受され、かつ受信部１４に受信信号ａが受信される発呼側移動局１１ａと着呼側移動局１１ｂとからなる一対の移動局１１ａ，１１ｂ相互間を通信状態に移行させるための通信条件と通信手順（プロトコル）を入力する入力装置を構成する。
【００３１】
データメモリ２５は、各移動局１１ａ，１１ｂ相互間が通信状態に移行する過程で各移動局１１ａ，１１ｂとの間で授受された信号や、通信状態に移行した後に移動局１１ａ，１１ｂ相互間で送受信される各データが時系列的に記憶される。
【００３２】
ＲＡＭ２４内には、前記パネルキー２６，外部記憶装置２７及び外部制御装置２９等の入力装置から入力された一対の移動局１１ａ，１１ｂ相互間を通信状態に移行させるための通信条件と通信手順（プロトコル）が記憶されている。
【００３３】
すなわち、ＲＡＭ２４内には、図３に示すように、通信確立条件メモリ２４ａと通信確立手順（プロトコル）メモリ２４ｂが形成されている。
通信確立条件メモリ２４ａ内には、
（ａ）    各種試験におけるこの試験装置の送信及び受信の信号レベル等の初期条件
（ｂ）    移動局が待受状態に移行するためにこの試験装置から送信する信号（制御チャネル）の構造や周波数及びその信号で送信される報知情報（メッセージ）等の制御チャネル条件
（ｃ）    移動局が通信状態に移行するときに割当てる通信を行うための信号（通信チャネル）の周波数や時分割多重のスロット等の通信チャネル条件
（ｄ）    移動局の呼出しに必要な識別番号などの移動局個別情報
等が記憶されている。
【００３４】
一方、通信確立手順（プロトコル）メモリ２４ｂ内には、
（ａ）  制御チャネルの起動、（ｂ）  メッセージの送信、（ｃ）  メッセージの受信、（ｄ）  通信チャネルの起動、（ｅ）  通信チャネルの停止、（ｆ）  タイマー起動、（ｇ）  タイマー停止、（ｈ）  ウェイト（待ち時間）等のこの試験装置の個々の動作が、各移動局１１ａ．１１ｂ相互間で通信状態を確立させための手順（プロトコル）に従って順番に記憶保持されている。
【００３５】
また、このＲＡＭ２４の通信確立条件メモリ２４ａ及び通信確立手順（プロトコル）メモリ２４ｂに設定された上述した通信確立条件及び通信確立手順（プロトコル）は必要に応じて、ディスプレイ２８へ表示したり、外部記憶装置２７やパーソナル・コンピュータ等の外部制御装置２９へ転送することが可能である。
【００３６】
図４は、この試験装置の操作者が発呼側移動局１１ａ及び着呼側移動局１１ｂ及びパネルキー２６を用いて行う操作と、この試験装置の制御部２２がＲＡＭ２４に記憶された通信確立条件及び通信確立手順（プロトコル）に従って自動的に実施する処理内容を示す流れ図である。
【００３７】
また、図５は、発呼側移動局１１ａと試験装置と着呼側移動局１１ｂの間で送受信される信号の流れを示すシーケンス図である。図４に示す流れ図と同一部分には同一符号が付してある。
【００３８】
図４の流れ図において、先ず、操作者は試験装置のパネルキー２６で試験装置の電源を投入して、試験開始操作を行う（Ｓ１）。開始操作が実施されると、試験装置の制御部２２は、ＲＡＭ２４の通信確立手順メモリ２４ｂから最初の動作を読出して、通信確立処理を開始する（Ｓ２）。
【００３９】
通信確立手順メモリ２４ｂの先頭には制御チャネルの起動を示す情報が記憶されているので、この通信確立条件メモリ２４ａに記憶されている制御チャネル条件により、各移動局１１ａ，１１ｂが待受状態へ移行するために必要なチャネル（制御チャネル）を起動する（Ｓ３）。
【００４０】
次に、操作者は、各移動局１１ａ，１１ｂの電源を投入する（Ｓ４）。すると、２台の移動局１１ａ，１１ｂは制御チャネルを受信し、待受状態へ移行する。さらに、操作者は、発呼側移動局１１ａを発呼操作する。すると、発呼側移動局１１ａは制御チヤネルを介して「接続要求」メッセージを試験装置へ送信する（Ｓ５）。
【００４１】
通信確立手順メモリ２４ｂには次に発呼側移動局１１ａから通信の確立を要求する「接続要求」メッセージを受信する動作が記憶されている。したがって、試験装置の制御部２２は受信部１４を介して「接続要求」メッセージを受信すると（Ｓ６）、通信確立手順メモリ２４ｂの動作指示に従って、発呼側移動局１１ａに対して送信部１５を介して、「接続応答」メッセージを送信する（Ｓ７）。
【００４２】
なお、通信確立手順の各動作には、手順どおりまたは手順どおりではないメッセージが受信された場合に、通信確立手順の後方に戻ったり、前方へ進んだりできる情報を記憶させておき、手順の分岐ができるようにする。
【００４３】
通信確立手順メモリ２４ｂには次に着信により通信を開始することを要求する「着信要求」メッセージを着呼側移動局１１ｂに送信するように記憶されており、制御部２２は送信部１５を介して「着信要求」メッセージを着呼側移動局１１ｂへ送信する（Ｓ８）。
【００４４】
着呼側移動局１１ｂは「着信要求」メッセージを制御チャネルを介して受信すると、「着信応答」メッセージを試験装置へ送信する。通信確立手順メモリ２４ｂには次に「着信応答」メッセージを受信するように記憶されている。制御部２２はこの「着信応答」メッセージを受信する（Ｓ９）。
【００４５】
通信確立手順メモリ２４ｂには次に各移動局１１ａ，１１ｂに対して通信を行う周波数や割当てる時分割多重のスロットなど指定する「チャネル指定」メッセージを発呼側移動局１１ａ及び着呼側移動局１１ｂにそれぞれ送信するように記憶されているので、制御部２２は、通信確立条件メモリ２４ａに記憶されている「通信チャネル条件」に従って「チャネル指定」メッセージを設定し、発呼側移動局１１ａ及び着呼側移動局１１ｂにそれぞれ送信する（Ｓ１０）。
【００４６】
「チャネル指定」メッセージを受信した発呼側移動局１１ａ及び着呼側移動局１１ｂはそれぞれ指定された通信用のチャネルでデータの送信及び受信を開始する。すなわち、この時点で発呼側移動局１１ａと着呼側移動局１１ｂとは通信状態に移行する（Ｓ１１）。
【００４７】
この一対の移動局１１ａ，１１ｂ相互間が通信状態に移行した後においては、制御部２２は、一方の移動局１１ａ（１１ｂ）から送信された信号に含まれるデータを抽出して、他方の移動局１１ｂ（１１ａ）の受信タイミングに同期して、抽出したデータを他方の移動局１１ｂ（１１ａ）へ送信するデータ中継処理を実施する（Ｓ１２）。
【００４８】
また、このデータ中継処理期間中において、操作者は、各移動局１１ａ，１１ｂが有するデータ伝送に関する各種の機能試験を実施する（Ｓ１３）。
具体的には、発呼側移動局１１ａが有する音声通話機能、ＰＣを用いたデータ伝送機能、静止画伝送機能、動画伝送機能等を用いてデータを着呼側移動局１１ｂへ送信する。着呼側移動局１１ｂは受信したデータを自己が保持する音声通話機能、ＰＣ用いたデータ伝送機能、静止画伝送機能、動画伝送機能等を用いて出力する。操作者は、着呼側移動局１１ｂで出力された各データを観察することによって、各移動局１１ａ，１１ｂが有するデータ伝送に関する各種機能の評価を行う。
【００４９】
一連の機能試験が終了すると、操作者は、発呼側移動局１１ａで切断操作を行う。すると、発呼側移動局１１ａは通信チャネルを介して試験装置へ「切断要求」メッセージ送信する（Ｓ１４）。
【００５０】
通信確立手順メモリ２４ｂには、次に通信の終了を要求する「切断要求」メッセージを発呼側移動局１１ａから受信したときに、通信の終了を指示する「切断指示」メッセージを発呼側移動局１１ａ及び着呼側移動局１１ｂに送信するように記憶されている。したがって、制御部２２は、発呼側移動局１１ａから「切断要求」メッセージを受信すると（Ｓ１５）、着呼側移動局１１ｂ及び発呼側移動局１１ａへ通信チャネルを介してそれぞれ「切断指示」メッセージを送信する（Ｓ１６，Ｓ１７）。
【００５１】
「切断指示」メッセージを受信した発呼側移動局１１ａ及び着呼側移動局１１ｂは通信状態を終了し待受状態に移行する（Ｓ１８）。
次に、データメモリ２５に記憶されている各移動局１１ａ，１１ｂ相互間が通信状態に移行する過程で各移動局１１ａ，１１ｂとの間で授受された前述した各種メッセージや信号の送信タイミングが正当であるか否か、又メッセージが正当であるか否かの判断を実施して、試験対象の各移動局１１ａ，１１ｂの動作の評価を所定のアルゴリズムに従って実施する（Ｓ１９）。そして、その評価結果及びデータメモリ２５に記憶されている内容をディスプレイ２８に表示出力する。また、操作者の指示に基づいて、外部制御装置２９へ出力する（Ｓ２０）。
【００５２】
図６は図４の流れ図のＳ１２における各移動局１１ａ，１１ｂ相互間が通信状態に移行した後に試験装置の制御部２２のデータの中継動作の詳細を示すタイミングチャートである。
【００５３】
前述したように、図２に示される受信部１４により一方の移動局１１ａ（１１ｂ）から受信した受信信号ａの復調データから、伝送されるデータを抽出して、送信部１５に設定し、他方の移動局１１ｂ（１１ａ）が受信するタイミングの時分割スロットに送信信号ｂとして送信する。
【００５４】
図６の例では、発呼側移動局１１ａからＲ１，Ｒ２及びＲ３のタイミングの時分割スロットで受信したデータを、それぞれ着呼側移動局１１ｂへの送信タイミングの時分割スロットｔ１，ｔ２及びｔ３で送信している。また着呼側移動局１１ｂからｒ１，ｒ２及びｒ３のタイミングの時分割スロットで受信したデータを、それぞれ発呼側移動局１１ａへの送信タイミングの時分割スロットＴ２，Ｔ３及びＴ４で送信している。
【００５５】
このように構成されたデジタル移動体通信試験方法が適用されたデジタル移動体通信試験装置においては、上述した各移動局１１ａ，１１ｂ相互間が通信状態に移行した期間に、操作者は、発呼側移動局１１ａを操作して、この発呼側移動局１１ａが有する音声通話機能、ＰＣを用いたデータ伝送機能、静止画伝送機能、動画伝送機能等を用いてデータを着呼側移動局１１ｂへ送信する。
【００５６】
すると、着呼側移動局１１ｂは受信したデータを自己が保持する音声通話機能、ＰＣを用いたデータ伝送機能、静止画伝送機能、動画伝送機能等を用いて出力する。したがって、操作者は、着呼側移動局１１ｂで出力された各データを観察することによって、各移動局１１ａ，１１ｂが有するデータ伝送に関する各種機能の評価を簡単に実施できる。
【００５７】
したがって、図８に示す従来の試験装置のように試験対象の移動局が有するデータ伝送に関する各種機能、すなわち、スピーカとマイクとからなる音声入出力装置、パーソナル・コンピュータ（ＰＣ）、ファクシミリ，動画を表示するモニタ装置等のデータ出力するためのハードウェアやこれらを接続するためのインタフェース等のソフトウェアは全く必要ない。
【００５８】
なお、同一のデータ伝送に関する各種機能を有した試験対象の移動局を２台準備することは簡単であるので、試験費用が特に上昇することはない。
したがって、たとえ試験対象の移動局が有するデータ伝送に関する上述した種々の機能の仕様が変更になったとしても、試験装置自体の仕様を変更する必要がない。よって、デジタル移動体通信試験装置の製造費を大幅に低減できる。
【００５９】
また、デジタル移動体通信ではシステムにより伝送されるデータの符号化法やフォーマットが異なるが、同一システムにおいては移動局と基地局間で伝送されるデータの符号化法やフォーマットは送受信で対称であるため、特別な符号化処理や専用回路を用いることなく容易に中継が可能である。
【００６０】
さらに、試験対象の一対の移動局１１ａ．１１ｂ相互間が通信状態に移行する過程で各移動局との間で授受された信号に基づいて各移動局１１ａ，１１ｂの通信状態に移行するまでの各種信号の手順（プロトコル）が簡単にかつ安価な費用で自動的に試験される。
【００６１】
【発明の効果】
以上のように、本発明のデシタル移動体通信試験方法及びデシタル移動体通信試験装置においては、試験対象の移動局を２台準備し、この２台の移動局が通信状態に移行した後に、一方の移動局がデータ伝送によって実現する機能を、他方の移動局で確認している。
【００６２】
したがって、装置内にデータ伝送に関する各種機能を組込む必要がなく、簡単に試験対象の移動局相互間で通信状態に至るまでの手順に関する試験、及び通信状態に移行後のデータ伝送に関する各種機能を試験できる。
【図面の簡単な説明】
【図１】本発明の構成を示す機能ブロック図
【図２】本発明の一実施形態のデジタル移動体通信試験方法が適用されたデジタル移動体通信試験装置の概略構成を示すブロック図
【図３】同試験装置のＲＡＭ内に形成された通信確立条件メモリ及び通信確立手順メモリの記憶内容を示す図
【図４】同試験装置を用いて試験操作手順及びこの操作に応じた試験装置の処理動作を示す流れ図
【図５】同試験装置における試験動作を示すシーケンス図
【図６】同試験装置における試験動作を示すタイムチャート
【図７】一般的な移動局に対する動作試験を示す模式図
【図８】従来の移動局が有する機能に対する試験手法を示す模式図
【符号の説明】
１，１４…受信部
２，１５…送信部
３…入力装置
７…評価部
８…出力部
１１ａ…発呼側移動局
１１ｂ…着呼側移動局
１２，１３…分配合成器
２２…制御部
２４…ＲＡＭ
２４ａ…通信確立条件メモリ
２４ｂ…通信確立手順メモリ
２５…データメモリ
２３…入出力インタフェース回路
２８…ディスプレイ
２９…外部制御装置
【図１】
0003587659.tif 000002
【図２】
0003587659.tif 000003
【図３】
0003587659.tif 000004
【図４】
0003587659.tif 000005
【図５】
0003587659.tif 000006
【図６】
0003587659.tif 000007
【図７】
0003587659.tif 000008
【図８】
0003587659.tif 000009